(57)【要約】【課題】安定して電力を供給できる可搬式一時的構造物を提供する。【解決手段】可搬式一時的構造物１は、土地に定着しておらず、クレーン等によって吊り下げられて設置可能であり、内部に作業空間Ｓを備えた構造物箱体１０と、作業空間Ｓ内の複写機２１やエアコンディショナー２２などに電力を供給するリン酸鉄リチウムイオン電池３１を備えたバッテリーセットと、リン酸鉄リチウムイオン電池３１に電力を供給する太陽光パネル部材４１と、を備えている。【選択図】図１
0003222644.tif 000002
【実用新案登録請求の範囲】
【請求項１】
土地に定着しない可搬式一時的構造物であって、
内部に形成された作業空間に作業者が入るための出入り口が設けられていると共に、少なくとも前記作業空間には、電力を消費する電力消費具が備え付けられている可搬式の構造物箱体と、
前記電力消費具に電力を供給するリン酸鉄リチウムイオン電池を含むバッテリーセットと、
を備え、
前記バッテリーセットには、前記リン酸鉄リチウムイオン電池に電力を供給する太陽光パネル部材が含まれていることを特徴とする可搬式一時的構造物。
【請求項２】
前記構造物箱体は、前記出入り口が形成された海上コンテナで構成されており、前記海上コンテナの内部が前記作業空間とされている
請求項１に記載の可搬式一時的構造物。
【請求項３】
前記構造物箱体は、プレハブ工法によって組み立てられた組立家屋であり、前記組立家屋の内部が前記作業空間とされている
請求項１に記載の可搬式一時的構造物。
【請求項４】
請求項１乃至請求項３のいずれか１項に記載の可搬式一時的構造物に用いられるバッテリーセットであって、
前記リン酸鉄リチウムイオン電池に電力を供給する可搬式の補助外部蓄電池が別に含まれている
ことを特徴とするバッテリーセット。
【考案の詳細な説明】
【技術分野】
【０００１】
本考案は、土地に定着しない可搬式一時的構造物及び、当該可搬式一時的構造物に用いられるバッテリーセットに関する。
【背景技術】
【０００２】
従来、例えば特許文献１に開示されているような、コンテナの内部空間に給湯器やコンセント等の電源設備等を備えるお風呂シャワー用コンテナはすでに知られている。このお風呂シャワー用コンテナは、災害時の避難所やスキー場・海の家などのレジャー施設、工事現場等で使用するお風呂やシャワーで、シャワーユニットやユニットバスや脱衣所及びガス給湯器や排水設備等を、クレーン等を用いて運搬・移動・設置が容易に行える輸送用コンテナ内に内蔵させたものである。
【先行技術文献】
【特許文献】
【０００３】
【特許文献１】特開２０１３−１１７１３３号公報
【考案の概要】
【考案が解決しようとする課題】
【０００４】
しかしながら、上記特許文献１に開示されているお風呂シャワー用コンテナのような可搬式一時的構造物にあっては、十分な電力を安定して供給するには、依然として課題があった。
【０００５】
本考案は、十分な電力を安定して使用することができる可搬式一時的構造物を提供することを目的とする。
【０００６】
さらに本考案は、前記可搬式一時的構造物に用いられるバッテリーセットを提供することを目的とする。
【課題を解決するための手段】
【０００７】
本考案は、土地に定着しない可搬式一時的構造物であって、内部に形成された作業空間に作業者が入るための出入り口が設けられていると共に、少なくとも前記作業空間には、電力を消費する電力消費具が備え付けられている可搬式の構造物箱体と、前記電力消費具に電力を供給するリン酸鉄リチウムイオン電池を含むバッテリーセットと、を備え、前記バッテリーセットには、前記リン酸鉄リチウムイオン電池に電力を供給する太陽光パネル部材が含まれていることを特徴とする可搬式一時的構造物である。
【０００８】
かかる構成にあっては、前記可搬式一時的構造物に備えられた電力消費具で消費される電力を前記バッテリーセットで賄うため、仮の電柱を立てる等の近隣の電線等にかかる工事を行う必要がなく、手間とコストを削減することができる。また、バッテリーセットに用いられるリン酸鉄リチウムイオン電池（蓄電池）は、例えば鉛蓄電池に比べて小型で大容量の電力消費に耐えられる利点がある。このため、作業空間内でいわゆるＯＡ機器等やいわゆるエアコン等を使用することが可能となり、作業空間を単なる休憩所ではなく、いわば事務所として機能させることができる。
【０００９】
ここで、従来は鉛蓄電池が広く使用されていたが、鉛蓄電池は、重くて大きいと共に、傾けると電解液が漏れてしまう問題がある。このため、鉛蓄電池が備え付けられた可搬式一時的構造物をクレーンで吊り上げた際に、鉛蓄電池の電解液が漏れ出すおそれがあったり、吊り下げられた可搬式一時的構造物自体が鉛蓄電池の重さで傾いたりしてしまう問題もあった。一方、本考案にかかる可搬式一時的構造物では、リン酸鉄リチウムイオン電池を採用しているため、そのような問題が生じない。さらに鉛蓄電池は、充電が進み完全充電状態に近くなってくると発熱し、しかも塩素ガスが発生するため、可搬式一時的構造物に使用した場合に作業空間の環境を悪化させるおそれがある。しかし、本考案にかかるリン酸鉄リチウムイオン電池ではそのような問題が発生しない。また、鉛蓄電池特有の構造上、塩害を回避するため沿岸地域で使用することはできなかったが、本考案にかかるリン酸鉄リチウムイオン電池ではそのような問題が発生することがなく、沿岸地域にも可搬式一時的構造物を設置することができる。また、リン酸鉄リチウムイオン電池は小型であり、大容量の電力消費に耐えられ、熱が出ないため、構造物箱体に施工される断熱材等の付属コストを削減できる。また、鉛蓄電池は、充放電回数と放電深度との関係において効率が悪いため寿命が短く、いわゆるバッテリー上がりの問題を抱えているが、リン酸鉄リチウムイオン電池を採用することで寿命が長くなり、かかる問題点を解消することができる。例えばリン酸鉄リチウムイオン電池では、以下の特性が得られる。
（例．Ｃｙｃｌｅ  Ｌｉｆｅ＞２０００  ｃｙｃｌｅｓ＠１Ｃ１００％ＤＯＤ）
【００１０】
また、前記構造物箱体は、前記出入り口が形成された海上コンテナで構成されており、前記海上コンテナの内部が前記作業空間とされている構成が提案される。さらに、前記構造物箱体は、プレハブ工法によって組み立てられた組立家屋であり、前記組立家屋の内部が前記作業空間とされている構成が提案される。
【００１１】
上記構成にあっては、使用済みの海上コンテナを再利用することができる利点がある。また、プレハブ工法によって組み立てられた組立家屋にあっては、前記可搬式一時的構造物の運搬コストや設置コスト、さらには撤去コスト等を低く抑えることができる利点がある。
【００１２】
また本考案は、上述の可搬式一時的構造物に用いられるバッテリーセットであって、前記リン酸鉄リチウムイオン電池に電力を供給する可搬式の補助外部蓄電池が別に含まれていることを特徴とするバッテリーセットである。
【００１３】
かかる構成にあっては、例えば昼間は前記太陽光パネル部材から前記リン酸鉄リチウムイオン電池に充電し、夜間は前記補助外部蓄電池（バッテリー）を用いて充電することできる。したがって、昼夜を問わずに前記可搬式一時的構造物内で前記電力消費具を使用して作業を行うことができる。
【考案の効果】
【００１４】
本考案にかかる可搬式一時的構造物は、十分な電力を安定して使用することができる効果がある。
【００１５】
また本考案にかかるバッテリーセットは、昼夜を問わずに電力消費具を使用することができる利点がある。
【図面の簡単な説明】
【００１６】
【図１】実施例にかかる可搬式一時的構造物の概要正面図である。
【図２】実施例にかかる可搬式一時的構造物のブロック回路図である。
【図３】実施例にかかる補助外部バッテリーの説明図である。
【考案を実施するための形態】
【００１７】
以下に本考案を具体化した実施例を詳細に説明する。なお、本考案は、以下に示す実施例に限定されることはなく、適宜、設計変更が可能である。
【００１８】
可搬式一時的構造物１は、図１に示すように、プレハブ工法によって組み立てられた組立家屋である構造物箱体１０を備えており、構造物箱体１０はクレーンで吊り下げられた後、又はフォークリフトで持ち上げられた後、地面に一時的に載置されるもので可搬式である。また、人が出入りする出入り口１１と窓１２が設けられている。なお、構造物箱体１０には基礎はなく、可搬式一時的構造物１は土地に定着していない。
【００１９】
また、構造物箱体１０内には、例えば建設現場の休憩所としても事務所としても機能する作業空間Ｓが形成されており、作業空間Ｓには電力消費具としてのモニター、パーソナルコンピュータ、あるいは複写機２１や、エアコンディショナー２２等が配設されている。さらに、構造物箱体１０の壁面には、スタイロフォーム等の断熱材が取り付けられている。また、内装として、適宜、合板や壁紙が使用される。このように、可搬式一時的構造物１は、事務所として必要な機器を完備したコンテナ事務所となっている。
【００２０】
また、構造物箱体１０内には、リン酸鉄リチウムイオン電池（バッテリー）３１が配設されている。リン酸鉄リチウム電池３１は、単数であっても複数であってもよく、当実施例においては、例えば一つの蓄電池容量が１２００Ｗｈのリン酸鉄リチウムイオン電池３１が六個、ラック上に横に並べて配設されている。
【００２１】
また、構造物箱体１０の屋上部分には、太陽光パネル部材４１が複数配設されている。
【００２２】
次に、可搬式一時的構造物１における電力の供給・消費の関係を説明する。
まず、リン酸鉄リチウムイオン電池３１には、図示しないチャージコントローラを介して太陽光パネル部材４１から電力が供給され、充電可能となっている。そして、リン酸鉄リチウムイオン電池３１から図示しない分電盤を介して、作業空間Ｓ内の複写機２１やエアコンディショナー２２に電力が供給される。
【００２３】
ここで、リン酸鉄リチウムイオン電池３１は、昼間は太陽光パネル部材４１から電力の供給を受けて充電可能となる。一方、夜間は太陽光パネル部材４１から電力の供給を受けることができない。このため、図３に示すように、可搬式の補助外部蓄電池５１を別途用意し、充電済みの当該補助外部蓄電池５１を可搬式一時的構造物１のリン酸鉄リチウムイオン電池３１に接続してリン酸鉄リチウムイオン電池３１に充電する。これにより、昼夜を問わず、いわば夜間事務所として複写機２１やエアコンディショナー２２等の電力消費具を使用することもできる。
【００２４】
なお、本実施例においては、リン酸鉄リチウムイオン電池３１、太陽光パネル部材４１、及び補助外部蓄電池５１によってバッテリーセット５２が構成されている。
【００２５】
また、上記した実施例において各部の寸法形状は適宜自由に選択可能である。また、構造物箱体１０としては、出入り口１１が設けられた海上コンテナが採用されてもよい。また、電力消費具としては、複写機２１やエアコンディショナー２２のみに限らず、電子レンジや冷蔵庫でもよく、さらには例えばコンセントを別途配してそこに接続された電力消費具であってもよい。
【符号の説明】
【００２６】
１              可搬式一時的構造物
１０            構造物箱体
１１            出入り口
２１            複写機（電力消費具）
２２            エアコンディショナー（電力消費具）
３１            リン酸鉄リチウムイオン電池
４１            太陽光パネル部材
５１            補助外部蓄電池
５２            バッテリーセット
Ｓ              作業空間
【図１】
0003222644.tif 000003
【図２】
0003222644.tif 000004
【図３】
0003222644.tif 000005